【手続補正書】
【提出日】平成28年10月28日(2016.10.28)
【手続補正１】
【補正対象書類名】特許請求の範囲
【補正対象項目名】全文
【補正方法】変更
【補正の内容】
【特許請求の範囲】
【請求項１】
光源と、
被検体を囲うように保持する保持部材と、
前記光源からの光が照射されることにより発生する音響波を受信する変換素子と、
前記変換素子から出力される受信信号を用いて分布情報を取得する信号処理手段と、
表示手段に表示する画像を出力する画像処理手段と、
を備え、
前記保持部材は、前記光を吸収し音響波を発生するマーカーを備え、
前記信号処理手段は、前記保持部材で前記被検体が保持されている状態において得られる第１受信信号を用いて、前記被検体内の特性情報と前記マーカー起因の情報とを含む第１分布情報を生成し、
前記信号処理手段は、前記保持部材で前記被検体が保持されていない状態において得られる第２受信信号を用いて、前記マーカー起因の情報が低減された第２分布情報を生成し、
前記画像処理手段は、前記第１分布情報と前記第２分布情報とのうちいずれか一方のみを表示するモードを実行可能である
ことを特徴とする被検体情報取得装置。
【請求項２】
表示手段に表示する画像を出力する画像処理手段を備え、
前記画像処理手段は、前記第１分布情報と前記第２分布情報とを切り替えて表示するモードと、前記第１分布情報と前記第２分布情報とを並べて表示するモードと、のうち少なくともいずれかを実行可能であることを特徴とする請求項１に記載の被検体情報取得装置。
【請求項３】
前記信号処理手段は、前記第１受信信号と前記第２受信信号とを用いて、前記第２分布情報を生成することを特徴とする請求項１または２に記載の被検体情報取得装置。
【請求項４】
前記信号処理手段は、前記第２受信信号を用いて前記被検体内の特性情報を含まない第３分布情報を生成した後、前記第１分布情報と前記第３分布情報とを用いて、前記第２分布情報を生成することを特徴とする請求項１乃至３のいずれか１項に記載の被検体情報取得装置。
【請求項５】
前記信号処理手段は、前記保持部材に前記被検体が保持されておらず且つ音響整合部材が保持されている状態において得られる受信信号を前記第２受信信号として処理することを特徴とする請求項１乃至４のいずれか１項に記載の被検体情報取得装置。
【請求項６】
光源と、
被検体を囲うように保持する保持部材と、
前記光源からの光が照射されることにより発生する音響波を受信する変換素子と、
前記変換素子から出力される受信信号を用いて分布情報を取得する信号処理手段と、
表示手段に表示する画像を出力する画像処理手段と、
前記保持部材に前記被検体が保持されている様子を撮像可能な位置に設けられた光学撮像手段と、を備え、
前記保持部材は、前記光を吸収し音響波を発生するマーカーを備え、
前記信号処理手段は、前記保持部材に前記被検体が保持されている状態において得られる第１受信信号を用いて、前記被検体内の特性情報と前記マーカー起因の情報とを含む第１分布情報を生成し、
前記画像処理手段は、前記第１分布情報と、前記光学撮像手段からの光学画像の情報と、を表示手段に表示する
ことを特徴とする被検体情報取得装置。
【請求項７】
前記画像処理手段は、前記マーカーに起因する受信信号を用いて前記保持部材又は前記被検体の位置を示すガイド情報を生成し、分布情報に前記ガイド情報を重畳して表示することを特徴とする請求項１乃至６のいずれか１項に記載の被検体情報取得装置。
【請求項８】
前記保持部材と前記変換素子との間の音響媒体の音速を設定する音速設定手段を備え、
前記信号処理手段は、前記音速設定手段により設定された音速の情報を用いて分布情報を生成することを特徴とする請求項１乃至７に記載の被検体情報取得装置。
【請求項９】
前記音速設定手段は、前記マーカー起因の受信信号を用いて音速を設定することを特徴とする請求項８に記載の被検体情報取得装置。
【請求項１０】
複数の前記変換素子と、
前記複数の変換素子を支持する支持体と、
を備え、
前記複数の変換素子は、
前記複数の変換素子のうち一部の変換素子と、前記複数の変換素子のうち前記一部の変換素子とは異なる変換素子と、のそれぞれの最も受信感度の高い方向が異なり、且つ、前記それぞれの最も受信感度の高い方向が特定の領域を向くように、
前記支持体に設けられていることを特徴とする請求項１乃至９のいずれか１項に記載の被検体情報取得装置。
【請求項１１】
前記保持部材は、前記被検体を重力方向の下側から支持するカップ状の部材であることを特徴とする請求項１乃至１０のいずれか１項に記載の被検体情報取得装置。
【請求項１２】
前記マーカーは線状であることを特徴とする請求項１乃至１１のいずれか１項に記載の被検体情報取得装置。
【請求項１３】
前記マーカーは、点状であることを特徴とする請求項１乃至１１のいずれか１項に記載の被検体情報取得装置。
【請求項１４】
表示手段に画像を表示するための表示方法であって、
光が照射されることにより被検体内から発生する音響波に起因する受信信号と、被検体を保持する保持部材が備えるマーカーからの音響波に起因する受信信号と、を用いて分布情報を生成するステップと、
前記分布情報を表示するステップと、
前記マーカーからの音響波に起因する受信信号を用いて前記保持部材の位置を示すガイド情報を生成するステップを備え、
前記表示するステップでは、前記ガイド情報が重畳された前記分布情報を表示する
ことを特徴とする表示方法。
【請求項１５】
請求項１４に記載の表示方法の各ステップをコンピュータに実行させるためのプログラム。
【手続補正２】
【補正対象書類名】明細書
【補正対象項目名】０００６
【補正方法】変更
【補正の内容】
【０００６】
本発明の被検体情報取得装置は、光源と、被検体を囲うように保持する保持部材と、前記光源からの光が照射されることにより発生する音響波を受信する変換素子と、前記変換素子から出力される受信信号を用いて分布情報を取得する信号処理手段と、表示手段に表示する画像を出力する画像処理手段と、を備え、前記保持部材は、前記光を吸収し音響波を発生するマーカーを備え、前記信号処理手段は、前記保持部材で前記被検体が保持されている状態において得られる第１受信信号を用いて、前記被検体内の特性情報と前記マーカー起因の情報とを含む第１分布情報を生成し、前記信号処理手段は、前記保持部材で前記被検体が保持されていない状態において得られる第２受信信号を用いて、前記マーカー起因の情報が低減された第２分布情報を生成し、前記画像処理手段は、前記第１分布情報と前記第２分布情報とのうちいずれか一方のみを表示するモードを実行可能である。
【手続補正３】
【補正対象書類名】明細書
【補正対象項目名】０００７
【補正方法】変更
【補正の内容】
【０００７】
本発明の表示方法は、光が照射されることにより被検体内から発生する音響波に起因する受信信号と、被検体を保持する保持部材が備えるマーカーからの音響波に起因する受信信号と、を用いて分布情報を生成するステップと、前記分布情報を表示するステップと、前記マーカーからの音響波に起因する受信信号を用いて前記保持部材の位置を示すガイド情報を生成するステップを備え、前記表示するステップでは、前記ガイド情報が重畳された前記分布情報を表示する。
【手続補正４】
【補正対象書類名】明細書
【補正対象項目名】０００８
【補正方法】変更
【補正の内容】
【０００８】
本発明の被検体情報取得装置は、光源と、被検体を囲うように保持する保持部材と、前記光源からの光が照射されることにより発生する音響波を受信する変換素子と、前記変換素子から出力される受信信号を用いて分布情報を取得する信号処理手段と、表示手段に表示する画像を出力する画像処理手段と、前記保持部材に前記被検体が保持されている様子を撮像可能な位置に設けられた光学撮像手段と、を備え、前記保持部材は、前記光を吸収し音響波を発生するマーカーを備え、前記信号処理手段は、前記保持部材に前記被検体が保持されている状態において得られる第１受信信号を用いて、前記被検体内の特性情報と前記マーカー起因の情報とを含む第１分布情報を生成し、前記画像処理手段は、前記第１分布情報と、前記光学撮像手段からの光学画像の情報と、を表示手段に表示する。